(57)【要約】【課題】血液浄化治療中、治療条件が変更されても継続して血液浄化治療状態の監視を精度よく行うことができる血液浄化装置を提供する。【解決手段】演算手段１２で求められた排液の濃度変化に基づいて血液浄化治療状態をリアルタイムで監視し得る血液浄化装置において、治療条件を任意に設定又は変更させるとともに、それぞれの治療条件下の排液の濃度を排液濃度センサ５にて予め検出させる治療条件変更手段１３と、該治療条件変更手段１３にて排液濃度センサ５により検出させた各治療条件下の排液の濃度を、それぞれの治療条件に対応した第１所定値として記憶する記憶手段１４とを備え、演算手段１２は、血液浄化治療中において治療条件が変更された場合、記憶手段１４で記憶された第１所定値のうち当該変更後の治療条件に応じた第１所定値に基づいて排液の濃度変化を求めるものである。【選択図】図１
2015047349.tif 000002
【特許請求の範囲】
【請求項１】
患者の血液を体外循環させるための血液回路と、
該血液回路に接続され、体外循環する血液を浄化する血液浄化器と、
該血液浄化器に透析液を導入するための透析液導入ラインと、
前記血液浄化器による血液の浄化に伴って生じた排液を当該血液浄化器から排出するための透析液排出ラインと、
該透析液排出ラインを流れる排液の濃度を検出し得る濃度検出手段と、
該濃度検出手段にて検出した第１所定値とそれから所定時間経過した後に検出した第２所定値とに基づいて排液の濃度変化を求め得る演算手段と、
を具備し、前記演算手段で求められた排液の濃度変化に基づいて血液浄化治療状態をリアルタイムで監視し得る血液浄化装置において、
治療条件を任意に設定又は変更させるとともに、それぞれの治療条件下の排液の濃度を前記濃度検出手段にて予め検出させる治療条件変更手段と、
該治療条件変更手段にて前記濃度検出手段により検出させた各治療条件下の排液の濃度を、それぞれの治療条件に対応した第１所定値として記憶する記憶手段と、
を備え、前記演算手段は、血液浄化治療中において治療条件が変更された場合、前記記憶手段で記憶された第１所定値のうち当該変更後の治療条件に応じた第１所定値に基づいて排液の濃度変化を求めることを特徴とする血液浄化装置。
【請求項２】
前記第１所定値は、血液浄化治療の開始時における初期値とされるとともに、前記第２所定値は、前記濃度検出手段による排液の濃度を検出した現時点の測定値とされたことを特徴とする請求項１記載の血液浄化装置。
【請求項３】
前記記憶手段で記憶された複数の治療条件と各治療条件に応じた複数の第１所定値との関係に近似した近似式を得るための算出手段を具備するとともに、当該近似式に基づいて治療条件に応じた第１所定値を求め得ることを特徴とする請求項１又は請求項２記載の血液浄化装置。
【請求項４】
前記治療条件変更手段にて設定又は変更される治療条件は、前記血液回路を体外循環する血液の流量、前記血液浄化器に導入される透析液の流量、血液浄化治療時における除水又は補液の速度のうち任意のもの又は複数選択されたものとされたことを特徴とする請求項１〜３の何れか１つに記載の血液浄化装置。
【請求項５】
前記濃度検出手段は、
前記排液に対して光を照射し得る発光手段と、
前記排液を透過した前記発光手段からの透過光を受け得る受光手段と、
前記受光手段による受光強度を検出し得る検出手段と、
を具備し、前記検出手段により検出された受光強度に基づき排液の濃度を検出し得るとともに、前記治療条件変更手段で治療条件を任意に設定又は変更させる前に当該濃度検出手段の校正を行わせることを特徴とする請求項１〜４の何れか１つに記載の血液浄化装置。
【発明の詳細な説明】
【技術分野】
【０００１】
本発明は、排液の濃度変化に基づいて血液浄化効率等の血液浄化治療状態をリアルタイムで監視し得る血液浄化装置に関するものである。
【背景技術】
【０００２】
患者の血液を体外循環させつつ浄化する血液処理として血液透析治療がある。かかる血液透析治療においては、透析液を流通させ得る血液浄化器としてのダイアライザを具備するとともに、患者の血液を体外循環させる血液回路を当該ダイアライザに接続させ、ダイアライザの半透膜を介して血液と透析液とを接触させ、血液中の老廃物或いは余剰水分を除去（余剰水分の除去は「除水」と称される）し得るようになっている。ダイアライザにて浄化された血液は、穿刺針を介して患者の体内に戻される一方、老廃物や余剰水分は、透析液と共に透析液排出ラインを介して外部に排出されるよう構成されている。
【０００３】
ところで、血液中から除去される老廃物には、尿素、尿酸及びクレアチニン等が含まれており、特に血液中の尿素の濃度変化が透析量（透析効率）を示す指標として有効であることが分かっており、透析効率を適正とすべく尿素濃度の変化を監視することが提案されている。この尿素濃度の変化は、通常、定期的に実施される血液検査により監視することができるが、その場合、透析治療中においてリアルタイムに尿素濃度の変化を監視することができない。
【０００４】
そこで、従来、透析液排出ラインに排液の濃度を検出し得る排液濃度センサを具備させ、尿素濃度の変化（「Ｋｔ／Ｖ」なる指標）をリアルタイムに検出し得るものが提案されるに至っている（例えば、特許文献１〜４参照）。かかる従来の排液濃度センサは、ダイアライザからの排液に対して光を照射し得るＬＥＤ（発光手段）と、排液を透過したＬＥＤからの透過光を受け得る受光素子（受光手段）と、受光素子による受光強度を検出し得る検出手段とを具備し、検出手段により検出された受光強度に基づき排液の濃度を検出し得るよう構成されていた。
【先行技術文献】
【特許文献】
【０００５】
【特許文献１】特表２００２−５１６７２２号公報
【特許文献２】特開２０１１−１２０８２１号公報
【特許文献３】特開２０１１−１２０８２２号公報
【特許文献４】特開２０１１−１２０８２３号公報
【発明の概要】
【発明が解決しようとする課題】
【０００６】
しかしながら、上記従来の血液浄化装置においては、例えば血液回路を体外循環する血液の流量や血液浄化器に導入される透析液の流量といった治療条件を治療中に変更した場合、血液から排液に排出される物質の濃度が変化してしまい、濃度の検出を精度よく行うことが困難になってしまうという問題があった。特に、治療初期に検出した初期値とそれから所定時間経過した後の時点であって排液濃度センサで濃度を検出した時点の測定値とに基づいて排液の濃度変化を求め、その排液の濃度変化から透析量等の血液浄化治療状態をリアルタイムで監視するものの場合、治療中に治療条件が変更された際、その変更後の治療条件下での初期値を推定するのは困難であることから、血液浄化治療状態の監視を精度よく行うことができないという問題がある。
【０００７】
本発明は、このような事情に鑑みてなされたもので、血液浄化治療中、治療条件が変更されても継続して血液浄化治療状態の監視を精度よく行うことができる血液浄化装置を提供することにある。
【課題を解決するための手段】
【０００８】
請求項１記載の発明は、患者の血液を体外循環させるための血液回路と、該血液回路に接続され、体外循環する血液を浄化する血液浄化器と、該血液浄化器に透析液を導入するための透析液導入ラインと、前記血液浄化器による血液の浄化に伴って生じた排液を当該血液浄化器から排出するための透析液排出ラインと、該透析液排出ラインを流れる排液の濃度を検出し得る濃度検出手段と、該濃度検出手段にて検出した第１所定値とそれから所定時間経過した後に検出した第２所定値とに基づいて排液の濃度変化を求め得る演算手段とを具備し、前記演算手段で求められた排液の濃度変化に基づいて血液浄化治療状態をリアルタイムで監視し得る血液浄化装置において、治療条件を任意に設定又は変更させるとともに、それぞれの治療条件下の排液の濃度を前記濃度検出手段にて予め検出させる治療条件変更手段と、該治療条件変更手段にて前記濃度検出手段により検出させた各治療条件下の排液の濃度を、それぞれの治療条件に対応した第１所定値として記憶する記憶手段とを備え、前記演算手段は、血液浄化治療中において治療条件が変更された場合、前記記憶手段で記憶された第１所定値のうち当該変更後の治療条件に応じた第１所定値に基づいて排液の濃度変化を求めることを特徴とする。
【０００９】
請求項２記載の発明は、請求項１記載の血液浄化装置において、前記第１所定値は、血液浄化治療の開始時における初期値とされるとともに、前記第２所定値は、前記濃度検出手段による排液の濃度を検出した現時点の測定値とされたことを特徴とする。
【００１０】
請求項３記載の発明は、請求項１又は請求項２記載の血液浄化装置において、前記記憶手段で記憶された複数の治療条件と各治療条件に応じた複数の第１所定値との関係に近似した近似式を得るための算出手段を具備するとともに、当該近似式に基づいて治療条件に応じた第１所定値を求め得ることを特徴とする。
【００１１】
請求項４記載の発明は、請求項１〜３の何れか１つに記載の血液浄化装置において、前記治療条件変更手段にて設定又は変更される治療条件は、前記血液回路を体外循環する血液の流量、前記血液浄化器に導入される透析液の流量、血液浄化治療時における除水又は補液の速度のうち任意のもの又は複数選択されたものとされたことを特徴とする。
【００１２】
請求項５記載の発明は、請求項１〜４の何れか１つに記載の血液浄化装置において、前記濃度検出手段は、前記排液に対して光を照射し得る発光手段と、前記排液を透過した前記発光手段からの透過光を受け得る受光手段と、前記受光手段による受光強度を検出し得る検出手段とを具備し、前記検出手段により検出された受光強度に基づき排液の濃度を検出し得るとともに、前記治療条件変更手段で治療条件を任意に設定又は変更させる前に当該濃度検出手段の校正を行わせることを特徴とする。
【発明の効果】
【００１３】
請求項１の発明によれば、治療条件を任意に設定又は変更させるとともに、それぞれの治療条件下の排液の濃度を濃度検出手段にて予め検出させる治療条件変更手段と、該治療条件変更手段にて濃度検出手段により検出させた各治療条件下の排液の濃度を、それぞれの治療条件に対応した第１所定値として記憶する記憶手段とを備え、演算手段は、血液浄化治療中において治療条件が変更された場合、記憶手段で記憶された第１所定値のうち当該変更後の治療条件に応じた第１所定値に基づいて排液の濃度変化を求めるので、血液浄化治療中、治療条件が変更されても継続して血液浄化治療状態の監視を精度よく行うことができる。
【００１４】
請求項２の発明によれば、第１所定値は、血液浄化治療の開始時における初期値とされるとともに、第２所定値は、濃度検出手段による排液の濃度を検出した現時点の測定値とされたので、血液浄化治療中、治療条件が変更されても継続して初期値と測定値との間の濃度変化を求めることができ、血液浄化治療状態の監視を精度よく行うことができる。
【００１５】
請求項３の発明によれば、記憶手段で記憶された複数の治療条件と各治療条件に応じた複数の第１所定値との関係に近似した近似式を得るための算出手段を具備するとともに、当該近似式に基づいて治療条件に応じた第１所定値を求め得るので、血液浄化治療中、治療条件変更手段で変更された治療条件以外の治療条件に変更された場合であっても、近似式に基づいて、その治療条件に応じた第１所定値を求めることができる。
【００１６】
請求項４の発明によれば、治療条件変更手段にて設定又は変更される治療条件は、血液回路を体外循環する血液の流量、血液浄化器に導入される透析液の流量、血液浄化治療時における除水又は補液の速度のうち任意のもの又は複数選択されたものとされたので、一般的に行われる治療条件の変更に対応させることができる。
【００１７】
請求項５の発明によれば、濃度検出手段は、排液に対して光を照射し得る発光手段と、排液を透過した前記発光手段からの透過光を受け得る受光手段と、受光手段による受光強度を検出し得る検出手段とを具備し、検出手段により検出された受光強度に基づき排液の濃度を検出し得るとともに、治療条件変更手段で治療条件を任意に設定又は変更させる前に当該濃度検出手段の校正を行わせるので、血液浄化治療中、治療条件が変更されても継続して血液浄化治療状態の監視をより精度よく行うことができる。
【図面の簡単な説明】
【００１８】
【図１】本発明の実施形態に係る血液浄化装置を示す模式図
【図２】同血液浄化装置における濃度検出手段を示す模式図
【図３】同血液浄化装置の制御内容を示すフローチャート
【図４】同血液浄化装置の制御内容（監視の内容）を示すフローチャート
【図５】同血液浄化装置における治療条件に対応した排液ＵＮとＢＵＮとの関係を示すグラフ
【図６】同血液浄化装置における算出手段により求められた近似式を示すグラフ
【発明を実施するための形態】
【００１９】
以下、本発明の実施形態について図面を参照しながら具体的に説明する。
本実施形態に係る血液浄化装置は、患者の血液を体外循環させつつ浄化するためのもので、血液透析治療で使用される血液透析装置に適用されたものである。かかる血液透析装置は、図１に示すように、患者の血液を体外循環させるための血液回路１と、血液浄化器としてのダイアライザ２と、濃度検出手段としての排液濃度センサ５と、ダイアライザ２に透析液を供給しつつ除水可能な透析装置本体６と、透析装置本体６に配設された透析液導入ライン７及び透析液排出ライン８と、監視手段１１と、表示手段１６と、報知手段１７とから主に構成されている。
【００２０】
血液回路１は、同図に示すように、可撓性チューブから成る動脈側血液回路１ａ及び静脈側血液回路１ｂから主に構成されており、これら動脈側血液回路１ａと静脈側血液回路１ｂの間にダイアライザ２が接続されている。動脈側血液回路１ａには、その先端に動脈側穿刺針ａが接続されるとともに、途中にしごき型の血液ポンプ３、除泡のためのエアトラップチャンバ４ａが配設されている。一方、静脈側血液回路１ｂには、その先端に静脈側穿刺針ｂが接続されるとともに、途中に除泡のためのエアトラップチャンバ４ｂが接続されている。
【００２１】
そして、動脈側穿刺針ａ及び静脈側穿刺針ｂを患者に穿刺した状態で、血液ポンプ３を駆動させると、患者の血液は、エアトラップチャンバ４ａで除泡されつつ動脈側血液回路１ａを通ってダイアライザ２に至り、該ダイアライザ２によって血液浄化及び除水が施された後、エアトラップチャンバ４ｂで除泡されつつ静脈側血液回路１ｂを通って患者の体内に戻る。このように、患者の血液を血液回路１にて体外循環させる過程でダイアライザ２にて浄化するのである。
【００２２】
ダイアライザ２（血液浄化器）は、その筐体部に、血液導入ポート２ａ、血液導出ポート２ｂ、透析液導入ポート２ｃ及び透析液導出ポート２ｄが形成されており、このうち血液導入ポート２ａには動脈側血液回路１ａの基端が、血液導出ポート２ｂには静脈側血液回路１ｂの基端がそれぞれ接続されている。また、透析液導入ポート２ｃ及び透析液導出ポート２ｄは、透析装置本体６から延設された透析液導入ライン７及び透析液排出ライン８の先端とそれぞれ接続されている。
【００２３】
ダイアライザ２内には、複数の中空糸が収容されており、該中空糸内部が血液の流路とされるとともに、中空糸外周面と筐体部の内周面との間が透析液の流路とされている。中空糸には、その外周面と内周面とを貫通した微少な孔（ポア）が多数形成されて中空糸膜を形成しており、該膜を介して血液中の老廃物や余剰水分等が透析液内に透過し得るよう構成されている。
【００２４】
一方、透析装置本体６は、複式ポンプＰと、透析液排出ライン８における複式ポンプＰの排液側のポンプ室を迂回して接続されたバイパスライン９と、該バイパスライン９に接続された除水ポンプ１０とを有して構成されている。複式ポンプＰは、透析液導入ライン７及び透析液排出ライン８に跨って配設され、当該透析液導入ライン７からダイアライザ２に対して透析液を導入させるとともに、当該ダイアライザ２に導入された透析液を血液中の老廃物と共に透析液排出ライン８から排出させるためのものである。
【００２５】
透析液導入ライン７の一端は、ダイアライザ２（透析液導入ポート２ｃ）に接続されるとともに、他端が所定濃度の透析液を調製する透析液供給装置（不図示）に接続されているとともに、透析液排出ライン８の一端は、ダイアライザ２（透析液導出ポート２ｄ）に接続されるとともに、他端が排液手段（不図示）と接続されている。しかして、透析液導入ライン７は、透析液供給装置から供給された透析液をダイアライザ２に導入するとともに、透析液排出ライン８は、ダイアライザ２による血液の浄化に伴って生じた排液を当該ダイアライザ２から排液手段に向かって排出するよう構成されている。
【００２６】
除水ポンプ１０は、ダイアライザ２中を流れる患者の血液から水分（余剰水分）を除去するためのものである。すなわち、かかる除水ポンプ１０を駆動させると、透析液導入ライン７から導入される透析液量よりも透析液排出ライン８から排出される液体の容量が多くなり、その多い容量分だけ血液中から水分が除去されるのである。なお、かかる除水ポンプ１０以外の手段（例えば所謂バランシングチャンバ等を利用するもの）にて患者の血液から水分を除去するようにしてもよい。
【００２７】
排液濃度センサ５（濃度検出手段）は、透析装置本体６内における透析液排出ライン８に配設され、血液浄化に伴って流れる液体（本実施形態においては、血液浄化器としてのダイアライザ２から排出された排液）の濃度（例えば、排液に含まれる尿素、尿酸等の物質濃度）を検出し得るものであり、図２に示すように、発光手段１８と、受光手段１９と、検出手段２０とから主に構成されている。なお、発光手段１８と受光手段１９とは、透析液排出ライン８を挟んで対向した位置にそれぞれ配設されている。
【００２８】
発光手段１８は、液体（本実施形態においてはダイアライザ２から排出された排液）に対して光を照射し得るＬＥＤから成る光源であり、その液体を透過した透過光を受光手段１９にて受け得るようになっている。本実施形態に係る受光手段１９は、受光した光の強度に応じた電圧を生じさせ得る受光素子から成るものとされており、その受光強度に応じた電圧に基づき、検出手段２０にて排液の濃度を検出し得るよう構成されている。
【００２９】
これにより、透析液排出ライン８に排液が流れた状態において発光手段１８から光を照射させれば、その照射された光が透析液排出ライン８にて流れる排液を透過することとなるので、排液の濃度に応じて光の吸収が図られた後、受光手段１９にて受光することとなる。そして、受光手段１９による受光強度（即ち、受光強度に応じて生じた電圧）の信号が検出手段２０に送信されるとともに、当該検出手段２０によって透析液排出ライン８を流れる排液の濃度が検出されることとなる。
【００３０】
なお、本実施形態に係る排液濃度センサ５は、波長が３００ｎｍ程度（２８０〜３２０ｎｍ）の紫外線を発光手段１８から発光させる光学センサを用いているが、赤外線等の他の光を発光させる光学センサを用いてもよく、或いは酵素センサ等の光学センサとは別個の形態のセンサを用いるようにしてもよい。また、本実施形態に係る排液濃度センサ５は、透析液排出ライン８における複式ポンプＰより上流側（ダイアライザ２と接続する側）に配設されているが、当該複式ポンプＰより下流側に配設してもよい。
【００３１】
監視手段１１は、透析装置本体６に配設されるとともに、排液濃度センサ５と電気的に接続されたマイコン等から成るもので、演算手段１２と、治療条件変更手段１３と、記憶手段１４と、算出手段１５とから主に構成されている。なお、本実施形態においては、監視手段１１と表示手段１６及び報知手段１７とが電気的に接続されており、監視に基づく表示及び報知をリアルタイムで行い得るようになっている。
【００３２】
演算手段１２は、排液濃度センサ５にて検出した第１所定値とそれから所定時間経過した後に検出した第２所定値とに基づいて排液の濃度変化（例えば、第１所定値と第２所定値との間の比又は差）を求め得るもので、その求めた排液の濃度変化に基づいて監視手段１１が血液浄化治療状態をリアルタイムで監視し得るよう構成されている。本実施形態においては、第１所定値は、血液浄化治療の開始時（脱血後の治療初期）における初期値とされるとともに、第２所定値は、排液濃度センサ５による排液の濃度を検出した現時点（血液浄化治療状態を監視する監視対象時点）の測定値とされている。
【００３３】
しかして、演算手段１２で求められた排液の濃度変化に基づいて、例えば標準化透析量（Ｋｔ／Ｖ）や尿素除去率（ＵＲＲ）等の透析量（透析効率）に関する指標を求めるようにすれば、血液浄化治療中においてリアルタイムに血液浄化状態を監視することができる。ここで、標準化透析量（Ｋｔ／Ｖ）は、血液透析治療開始時と現時点（監視時点）の排液中における尿素窒素の濃度変化と、該血液透析治療（血液浄化治療）における除水量と、該血液透析治療の治療時間とを、所定の演算式に代入して算出することにより得られる指標であり、尿素除去率（ＵＲＲ）は、血液透析治療開始時と現時点（監視時点）の排液中における尿素窒素の濃度変化を所定の演算式に代入して算出することにより得られる指標である。これら標準化透析量（Ｋｔ／Ｖ）及び尿素除去率（ＵＲＲ）は、例えば、以下の演算式にて求めることができる。
【００３４】
標準化透析量（Ｋｔ／Ｖ）＝−ｌｎ（Ｃ（ｅ）／Ｃ（ｓ）−０．００８ｔ）＋（４−３．５×Ｃ（ｅ）／Ｃ（ｓ））×（ＶＵＦ／ＤＷ）  …  （演算式１）
尿素除去率（ＵＲＲ）＝（１−（Ｃ（ｅ）／Ｃ（ｓ））×１００  …  （演算式２）
但し、Ｃ（ｓ）は、血液透析治療開始時における尿素窒素濃度（初期値）、Ｃ（ｅ）は、現時点（監視時点）における尿素窒素濃度、ＶＵＦは、除水量、ＤＷは、患者のドライウェイトを示している。なお、上記演算式１にて求められるＫｔ／Ｖについて、Ｋはクリアランス、ｔは透析治療経過時間、Ｖは尿素分布体積を示している。
【００３５】
治療条件変更手段１３は、血液浄化治療開始時（本実施形態においては脱血後の血液浄化治療初期）において、治療条件を任意に設定又は変更させるとともに、それぞれの治療条件下の排液の濃度を排液濃度センサ５にて予め検出させるためのものである。本実施形態に係る治療条件変更手段１３にて設定又は変更される治療条件は、血液回路１を体外循環する血液の流量（例えば、血液ポンプ３の駆動速度）、ダイアライザ２に導入される透析液の流量（例えば、複式ポンプＰの駆動速度）、血液浄化治療時における除水又は補液の速度（例えば、除水ポンプ１０や図示しない補液ポンプの駆動速度）のうち任意のもの又は複数選択されたものとされるが、治療中に変更が想定される他の治療条件であってもよい。
【００３６】
記憶手段１４は、治療条件変更手段１３にて排液濃度センサ５により検出させた各治療条件下の排液の濃度を、それぞれの治療条件に対応した第１所定値（本実施形態においては各治療条件下における初期値としての尿素窒素濃度Ｃ（ｓ））として記憶するためのものである。かかる記憶手段１４によって、血液浄化治療過程で治療条件が変更された場合であっても、その変更後の治療条件下における排液の濃度の初期値（Ｃ（ｓ））を監視手段１１にて参照することができる。
【００３７】
ここで、本実施形態に係る演算手段１２は、血液浄化治療中（治療条件変更手段１３による治療条件の設定又は変更後であって記憶手段１４による各治療条件下の排液の濃度の記憶後）において治療条件が変更された場合、記憶手段１４で記憶された第１所定値（初期値）のうち当該変更後の治療条件に応じた第１所定値（初期値）に基づいて排液の濃度変化を求めるよう構成されている。
【００３８】
例えば、図５における血液中の尿素窒素濃度（ＢＵＮ）と排液中の尿素窒素濃度（排液ＵＮ）との関係で示すように、治療条件１にて初期時点Ａ０から時点Ａ１まで血液浄化治療（血液透析治療）が行われた後、治療条件２に変更された場合、その治療条件２における時点Ｂ１の排液の濃度（排液ＵＮ）については排液濃度センサ５で検出することができるものの、初期時点Ｂ０の排液の濃度（排液ＵＮ）については、通常、遡って検出することができない。
【００３９】
しかるに、治療条件１における初期時点Ａ０の排液の濃度と治療条件２における時点Ｂ１の排液の濃度とに基づいて排液の濃度変化を求めてしまうと、図５から分かるように、誤差が生じてしまう。したがって、この場合、血液浄化治療過程において治療条件が変更されてしまうと、排液の濃度変化を求めることが困難となってしまい、当該排液の濃度変化に基づいて把握される血液浄化治療状態（透析量等）の監視を継続して行わせることができない。
【００４０】
これに対し、本実施形態によれば、治療条件変更手段１３によって治療中に変更が想定される治療条件に予め設定又は変更し、それぞれの治療条件（例えば治療条件１及び２）下の排液の濃度（尿素窒素濃度）を排液濃度センサ５にて検出させ、各治療条件下の初期時点Ａ０、Ｂ０における初期値Ｃ（ｓ）として記憶手段１４にて記憶させるので、血液浄化治療過程において治療条件が治療条件１から治療条件２に変更されても、その変更後における治療条件２下の初期値Ｃ（ｓ）を参照することができる。したがって、血液浄化治療過程において治療条件を変更しても、排液の濃度変化を容易且つ正確に求めることができ、血液浄化治療状態（透析量等）の監視を継続して行わせることができる。
【００４１】
算出手段１５は、記憶手段１４で記憶された複数の治療条件と各治療条件に応じた複数の第１所定値（初期値）との関係に近似した近似式を得るためのもので、その得られた近似式に基づいて治療条件に応じた第１所定値（初期値）を求めることが可能とされている。例えば、治療条件変更手段１３により血液ポンプ３の駆動速度を任意設定又は変更して、図６に示すように、血液回路を体外循環する血液の流量（血流量）が１００（ｍＬ／ｍｉｎ）、２００（ｍＬ／ｍｉｎ）及び３００（ｍＬ／ｍｉｎ）に設定された複数（本実施形態においては３つ）の治療条件（血流量以外の条件は同一）とし、各治療条件下で排液濃度センサ５にて検出された排液の濃度（尿素窒素濃度）をそれぞれの初期値（Ｃ（ｓ））として記憶手段１４にて記憶させるとともに、それら複数の初期値（Ｃ（ｓ））の血流量に対する近似式（例えば、ｙ＝ａｘ２＋ｂｘ＋ｃなる２次式）を算出手段１５にて求めるよう構成されている。
【００４２】
これにより、治療条件変更手段１３にて設定又は変更された治療条件に限らず、算出手段１５にて求められた近似式に基づいて、変更された治療条件下における排液の濃度（尿素窒素濃度）の初期値Ｃ（ｓ）を求めることができる。なお、本実施形態においては、治療条件変更手段１３が血液の流量を変更させることで治療条件を変更しているが、他の治療条件（既述したように、ダイアライザ２に導入される透析液の流量、血液浄化治療時における除水又は補液の速度等）を変更し、算出手段１５にて各治療条件下における近似式を求めるようにしてもよい。
【００４３】
表示手段１６は、透析装置本体６に設けられたタッチパネル等から成るもので、その画面に治療中の種々情報（患者の治療状態や装置の設定状態等）を表示し得るようになっている。また、報知手段１７は、治療中に患者又は装置に異常が生じた場合、周囲の医療従事者に報知し得るもので、例えば警報を出力し得るスピーカや警告灯にて構成されている。なお、治療中に患者又は装置に異常が生じた場合、表示手段１６にて異常を表示させるようにしてもよい。
【００４４】
次に、本実施形態に係る血液浄化装置における監視手段１１の制御内容について、図３のフローチャートに基づいて説明する。
先ず、Ｓ１にて排液濃度センサ５の所定の校正を行わせた後、血液ポンプ３を駆動させて脱血を開始する（Ｓ２）ことで、動脈側穿刺針ａから静脈側穿刺針ｂに向かって血液回路１にて血液を体外循環させる。このとき、所定の条件にて体外循環が行われるよう設定されているが、血液浄化治療（透析治療）が行われていても当該血液浄化治療が行われていなくてもよい。
【００４５】
そして、治療条件変更手段１３によって治療条件が治療条件１に設定されつつ体外循環が行われ（Ｓ３）、当該治療条件１下における排液の濃度（尿素窒素濃度）を排液濃度センサ５にて検出するとともに、その検出された排液の濃度を初期時点Ａ０における初期値Ｃ（ｓ）（第１所定値）として記憶手段１４にて記憶させる（Ｓ４）。さらに、治療条件変更手段１３によって治療条件が治療条件２に変更されつつ体外循環が継続して行われ（Ｓ５）、当該治療条件２下における排液の濃度（尿素窒素濃度）を排液濃度センサ５にて検出するとともに、その検出された排液の濃度を初期時点Ｂ０における初期値Ｃ（ｓ）（第１所定値）として記憶手段１４にて記憶させる（Ｓ６）。なお、本フローチャートにおいては、治療条件が治療条件１から治療条件２のみに変更されているが、続けて他の複数の治療条件に変更し、その初期値Ｃ（ｓ）（第１所定値）を記憶させるようにするのが好ましい。
【００４６】
その後、Ｓ７に進んで、記憶手段１４で記憶された各治療条件下における初期値Ｃ（ｓ）に基づいて算出手段１５にて近似式が求められ、事前の準備（各治療条件下における初期値の取得工程）が完了し、監視する対象である血液浄化治療が開始することとなる（Ｓ８）。かかる血液浄化治療における監視について、図４に示すフローチャートに基づいて以下に説明する。
【００４７】
先ず、Ｓ９にて治療条件が変更されたか否かが判定され、治療条件が変更された場合、Ｓ１０に進み、記憶手段１４で記憶された情報又は算出手段１５で算出された近似式からその変更後の治療条件に応じた初期値Ｃ（ｓ）を取得し、Ｓ１１に進む。なお、Ｓ９にて治療条件が変更されていないと判定された場合、Ｓ１０をスキップしてＳ１１に進む。かかるＳ１１においては、排液濃度センサ５にて透析液排出ライン８を流れる排液の濃度が検出されるとともに、演算手段１２にて排液の濃度変化が求められる。
【００４８】
その後、演算手段１２にて求められた排液の濃度変化に基づいて透析量に関する指標（例えば、上述の標準化透析量（Ｋｔ／Ｖ）又は尿素除去率（ＵＲＲ）等）が算出され（Ｓ１２）、その算出された透析量に関する指標が表示手段１６にて表示される（Ｓ１３）。なお、標準化透析量（Ｋｔ／Ｖ）又は尿素除去率（ＵＲＲ）に代え又は共に、他の透析量に関する指標を算出、又は表示するようにしてもよい。
【００４９】
そして、Ｓ１２にて求められた透析量に関する指標が異常値であるか否かが判定され（Ｓ１４）、異常値であると判定された場合、Ｓ１５に進んで報知手段１７による報知（表示手段１６に異常を表示してもよい）が行われる一方、当該透析量に関する指標が異常値でないと判定された場合、Ｓ１６に進み、透析治療が終了したか否かが判定される。かかるＳ１６にて透析治療が終了したと判定された場合、一連の制御を終了するとともに、透析治療が終了していないと判定された場合、Ｓ９に戻り、再び治療条件が変更されたか否かが判定され、一連の制御が繰り返し行われる。
【００５０】
上記実施形態によれば、治療条件を任意に設定又は変更させるとともに、それぞれの治療条件下の排液の濃度を排液濃度センサ５にて予め検出させる治療条件変更手段１３と、該治療条件変更手段１３にて排液濃度センサ５により検出させた各治療条件下の排液の濃度を、それぞれの治療条件に対応した第１所定値（本実施形態においては初期値Ｃ（ｓ））として記憶する記憶手段１４とを備え、演算手段１２は、血液浄化治療中において治療条件が変更された場合、記憶手段１４で記憶された第１所定値のうち当該変更後の治療条件に応じた第１所定値に基づいて排液の濃度変化を求めるので、血液浄化治療中、治療条件が変更されても継続して血液浄化治療状態の監視を精度よく行うことができる。
【００５１】
また、本実施形態における第１所定値は、血液浄化治療の開始時（脱血開始後であって血液浄化治療の初期）における初期値とされるとともに、第２所定値は、排液濃度センサ５による排液の濃度を検出した現時点の測定値とされたので、血液浄化治療中、治療条件が変更されても継続して初期値と測定値との間の濃度変化を求めることができ、血液浄化治療状態の監視を精度よく行うことができる。
【００５２】
さらに、本実施形態によれば、記憶手段１４で記憶された複数の治療条件と各治療条件に応じた複数の第１所定値（初期値Ｃ（ｓ））との関係に近似した近似式を得るための算出手段１５を具備するとともに、当該近似式に基づいて治療条件に応じた第１所定値を求め得るので、血液浄化治療中、治療条件変更手段１３で変更された治療条件以外の治療条件に変更された場合であっても、近似式に基づいて、その治療条件に応じた第１所定値を求めることができる。
【００５３】
またさらに、本実施形態によれば、治療条件変更手段１３にて変更される治療条件は、血液回路１を体外循環する血液の流量、ダイアライザ２に導入される透析液の流量、血液浄化治療時における除水又は補液の速度のうち任意のもの又は複数選択されたものとされたので、一般的に行われる治療条件の変更（すなわち、変更が想定される治療条件）に対応させることができる。
【００５４】
また、本実施形態に係る排液濃度センサ５は、排液に対して光を照射し得る発光手段１８と、排液を透過した発光手段１８からの透過光を受け得る受光手段１９と、受光手段１９による受光強度を検出し得る検出手段２０とを具備し、検出手段２０により検出された受光強度に基づき排液の濃度を検出し得るとともに、治療条件変更手段１３で治療条件を任意に設定又は変更させる前に当該排液濃度センサ５の校正を行わせるので、血液浄化治療中、治療条件が変更されても継続して血液浄化治療状態の監視をより精度よく行うことができる。
【００５５】
以上、本実施形態について説明したが、本発明はこれに限定されるものではなく、例えば監視対象としての透析量に関する指標は、標準化透析量（Ｋｔ／Ｖ）又は尿素除去率（ＵＲＲ）に限定されず、他の指標を求め、血液浄化治療中にリアルタイムで監視するようにしてもよい。また、算出手段１５を具備せず、想定される治療条件を多数設定し、それら各治療条件における第１所定値を予め求めておくことで、治療中において治療条件が多数に亘って変更された場合であっても対応可能なものとしてもよい。なお、本実施形態においては血液透析装置に適用されているが、体外循環させつつ血液浄化を行う他の治療（血液濾過療法や血液濾過透析療法など）で使用される血液浄化装置に適用するようにしてもよい。
【産業上の利用可能性】
【００５６】
治療条件を任意に設定又は変更させるとともに、それぞれの治療条件下の排液の濃度を濃度検出手段にて予め検出させる治療条件変更手段と、治療条件変更手段にて濃度検出手段により検出させた各治療条件下の排液の濃度を、それぞれの治療条件に対応した第１所定値として記憶する記憶手段とを備え、演算手段は、血液浄化治療中において治療条件が変更された場合、記憶手段で記憶された第１所定値のうち当該変更後の治療条件に応じた第１所定値に基づいて排液の濃度変化を求める血液浄化装置であれば、他の機能が付加されたもの等にも適用することができる。
【符号の説明】
【００５７】
１  血液回路
１ａ  動脈側血液回路
１ｂ  静脈側血液回路
２  ダイアライザ（血液浄化器）
３  血液ポンプ
４ａ、４ｂ  エアトラップチャンバ
５  排液濃度センサ（濃度検出手段）
６  透析装置本体
７  透析液導入ライン
８  透析液排出ライン
９  バイパスライン
１０  除水ポンプ
１１  監視手段
１２  演算手段
１３  治療条件変更手段
１４  記憶手段
１５  算出手段
１６  表示手段
１７  報知手段
１８  発光手段
１９  受光手段
２０  検出手段
【図１】
2015047349.tif 000003
【図２】
2015047349.tif 000004
【図３】
2015047349.tif 000005
【図４】
2015047349.tif 000006
【図５】
2015047349.tif 000007
【図６】
2015047349.tif 000008